(57)【要約】  【課題】  塔の上部に設置する増幅装置において、小型軽量化を図ることを目的とする。  【解決手段】入力された信号を増幅する増幅部と、前記増幅部から発熱される熱を放熱し前記増幅部に接する放熱部と、下部に設けられた信号を受信するアンテナを接続するアンテナ接続部と前記増幅部とに電気的に接続される内部ユニットと、前記増幅部と前記内部ユニットを内蔵し、前記アンテナ接続部を設ける筐体と、前記内蔵ユニットの上部に前記筐体を通じて近接し、さらに前記増幅部の一部の側部に前記筐体を通じて近接させた排気用ファンと、前記排気用ファンと前記筐体と前記放熱部を覆うように設けたカバー部から構成される増幅装置を提供する。  【選択図】  図２
2005268885.tif 000002
【特許請求の範囲】
【請求項１】
入力された信号を増幅する増幅部と、前記増幅部から発熱される熱を放熱し前記増幅部に接する放熱部と、下部に設けられた信号を受信するアンテナを接続するアンテナ接続部と前記増幅部とに電気的に接続される内部ユニットと、前記増幅部と前記内部ユニットを内蔵し、前記アンテナ接続部を設ける筐体と、前記内蔵ユニットの上部に前記筐体を通じて近接し、さらに前記増幅部の一部の側部に前記筐体を通じて近接させた排気用ファンと、前記排気用ファンと前記筐体と前記放熱部を覆うように設けたカバー部から構成される増幅装置。
【発明の詳細な説明】
【技術分野】
【０００１】
本発明は、無線通信システムにおいて、中継局として用いられる増幅装置に関するものである。特に、地上より離れた高所に配置する中継増幅装置に関するものである。
【０００２】
ここで、無線通信システムとしては、例えば、携帯電話システムや簡易型携帯電話システム（ＰＨＳ：Personal Handy Phone System）などの種々なシステムが用いられてもよ
い。
【０００３】
また、通信方式としては、例えば、ＣＤＭＡ（Code Division Multiple Access）方式
やＷ（Wide band）-ＣＤＭＡ方式やＴＤＭＡ(Time Division Multiple Access)方式やＦＤＭ
Ａ(Frequency Division Multiple Access)方式などの種々な方式が用いられてもよい。
【０００４】
ここで、本発明に係る増幅装置などの構成としては、必ずしも、以上に示したものに限らず、種々な構成が用いられてもよい。
【０００５】
また、本発明の適用分野としては、必ずしも以上に示したものに限られず、本発明は、種々な分野に適用することが可能なものである。
【背景技術】
【０００６】
中継増幅装置は、屋外に設けられることが多く、さらに他の障害物に信号の送受信を邪魔されないために、高所に設けられることが多い。例えば電柱の上、塔の上などである。
中継増幅装置は、例えば図１のような位置に設けられている。中継増幅装置は１０１であり拡大して記載した。中継増幅装置１０１はアンテナ１０３が一方に接続され、他方のケーブル１０５を通じて制御局１０４に接続されている。制御局１０４は、図示しない基地局等に接続されている。中継増幅装置１０１は、塔１０２の上部に設置されている。
ここでは、中継増幅装置１０１の一方にアンテナ１０３、他方に制御局１０４が接続されているが、それに限るものではなく、いずれもアンテナに接続されていても良く、また制御局も有線ではなく、無線による接続を行っても良い。また、接続先も制御局のみではなく、基地局に直接接続してもよい。
【０００７】
ここで、従来の中継増幅装置を図４を用いて説明する。
４０１は内部ユニット1と増幅部４とを内蔵し、さらに外部の図１のアンテナ１０３を接続するアンテナ接続部２、制御局１０４に接続する制御局接続部３、塔などに実装するための実装部５を設けた筐体である。内蔵ユニット１は、例えば電源、アンテナ、信号を変換する信号変換部、制御部等で構成されており、増幅部４と電気的に接続されている。増幅部４は発熱するものであり、放熱をする必要がある。そこで、フィンから構成される放熱部５が増幅部に接するように設けられ、フィンにより放熱を行っている。筐体４０１、放熱部５は第１のカバー４０３によりカバーされ、通風路４０５を構成する。カバー４０３の上部には、ファン４０２が設けられている。ファン４０２は、さらに第２のカバー４０４により覆われている。
この従来の増幅装置を図１のように設置するとき、ファン４０２が上部であり、アンテナ接続部２、制御局接続部３が下部になる。これは、搭上で設置、メンテナンスをするにあたり、各接続部が下部にあるほうが、ケーブルなどが接続しやすくなるためである。
【０００８】
ここで、風の流れを説明する。ファン４０２の回転により、通風孔４０５のａから風が入る。入った風は放熱部５を通りｂを通過し、ファン４０２を経由して、ｃに流れる。ｃに流れた風は、カバー４０４にぶつかり、ｄへ流れ、増幅装置から出る。
これにより、増幅装置の冷却を行う。
【０００９】
その他の増幅装置の例として、例えば特許文献１に記載されている。
【特許文献１】特開２００２−１００９３４号公報
【発明の開示】
【発明が解決しようとする課題】
【００１０】
図１のように塔の上部に設置する増幅装置は、小型軽量が望ましい。小型軽量とすることにより、設置がしやすくなるためである。
【００１１】
本発明は上述した問題点を解決するためになされたものであり、従来の増幅装置より、さらなる小型化、軽量化を実現する増幅装置を提供する。
【課題を解決するための手段】
【００１２】
上述した課題を解決するため、本発明に係る増幅装置は、入力された信号を増幅する増幅部と、前記増幅部から発熱される熱を放熱し前記増幅部に接する放熱部と、下部に設けられた信号を受信するアンテナを接続するアンテナ接続部と前記増幅部とに電気的に接続される内部ユニットと、前記増幅部と前記内部ユニットを内蔵し、前記アンテナ接続部を設ける筐体と、前記内蔵ユニットの上部に前記筐体を通じて近接し、さらに前記増幅部の一部の側部に前記筐体を通じて近接させた排気用ファンと、前記排気用ファンと前記筐体と前記放熱部を覆うように設けたカバー部から構成されることを特徴とする増幅装置を提供する。
【発明の効果】
【００１３】
本発明によれば、従来の装置に比べて、小型化、軽量化を図ることにより、塔のように高所に設置するとき、従来より設置が容易となる。
【発明を実施するための最良の形態】
【００１４】
本発明の増幅装置は、例えば塔などの高所に設置するものであり、従来より小型化、軽量化を図るものである。以下、本発明の実施例について図面を参照しつつ説明する。
【００１５】
図２は、本発明の内部構造図である。図４の説明と同番号のものは同一の機能・構造を有しているものであり、説明を省略する。
図２において、２０１は本発明の筐体、２０２は冷却用ファン、２０３は筐体２０１、冷却用ファン２０２、放熱部５をカバーするカバーである。これにより、通風孔２０４を構成する。筐体２０１は、内部ユニット１、増幅部４を内蔵しており、さらにアンテナ接続部２、制御局接続部３を設けている。筐体２０１に内蔵されている内部ユニット1の上端部から筐体底部の高さｈ１は、増幅部４の上端部から筐体底部の高さｈ２より低く設計されている。筐体２０１の外形は、内部に設けられている内部ユニット１、増幅部４の大きさに沿った形状であり、筐体の内部ユニット側の高さｈ3は、増幅部側の高さｈ4に比べて低くなった構造となっている。
ファン２０２は、筐体２０１の内部ユニット側１に、つまり筐体を通じて内部ユニット１と近接して設けられており、また増幅部４の側部に設けられている。
【００１６】
次に本発明の増幅装置の風の流れについて説明する。
ここで、風の流れを説明する。ファン２０２の回転により、通風孔２０４のａ’から風が入る。入った風は放熱部５を通りｂ’を通過し、ファン２０２を経由して、ｃ’から風が排出される。
これにより、増幅装置の冷却を行う。
【００１７】
図３は本発明の外観図である。
ここでは、図１、４の説明と同番号のものは同一の機能・構造を有しているものであり、説明を省略する。
図３（ａ）は側面図、図３（ｂ）は正面図、図３（ｃ）は下視図である。増幅装置は、接続部６により塔等に設置される。３０１は、カバー２０３の蓋と本体をつなぐヒンジ部であり、これによりカバー蓋の開け閉めが可能となる。このカバー蓋をあけることにより、増幅部や筐体の交換が可能となり、容易にメンテナンスを行うことができる。
【図面の簡単な説明】
【００１８】
【図１】増幅装置を設置した例図である。
【図２】本発明の増幅装置である。
【図３】本発明の増幅装置である。
【図４】従来の増幅装置である。
【符号の説明】
【００１９】
１…内蔵ユニット  ２…アンテナ接続部  ３…制御局接続部  ４…増幅部
５…放熱部  ２０１…筐体  ２０２…ファン  ２０３…カバー  ２０４…通風孔
【図１】
2005268885.tif 000003
【図２】
2005268885.tif 000004
【図３】
2005268885.tif 000005
【図４】
2005268885.tif 000006